(57)【要約】【課題】本発明は、電子を放出する冷陰極を備えた冷陰極、電界放出型ディスプレイ、及び電界放出型ディスプレイの駆動方法に関し、従来よりも少ない数の駆動回路で走査ラインを順次走査させて、製造コストを低減することのできる冷陰極、電界放出型ディスプレイ、及び電界放出型ディスプレイの駆動方法を提供することを目的とする。【解決手段】１６本の走査ライン６８−１〜６８−１６を有した電界放出型ディスプレイにおいて、連続する４本の走査用電極５４を各駆動回路７６−１〜７６−４に結線し、４本毎に４本の第２の走査用電極５７を各駆動回路６４−１〜６３−４に結線し、走査したい走査ライン６８に対応した第１の走査用電極５４に電圧ＶＡＰを印加すると共に、電圧ＶＡＰが印加された第２の走査用電極５７に電圧ＶＢＰを印加して、走査したい走査ライン６８に対応した冷陰極から電子ビームを放出して走査を行う。【選択図】図１０
2007101880.tif 000002
【特許請求の範囲】
【請求項１】
第１の走査用電極と、
該第１の走査用電極と直交するデータ用電極と、
前記第１の走査用電極とデータ用電極とが交差する位置に設けられ、電子を放出する冷陰極エミッタとを有した冷陰極であって、
前記第１の走査用電極毎に前記第１の走査用電極と対向する第２の走査用電極を設け、
前記第１及び第２の走査用電極に印加される電圧により、冷陰極からの電子放出が制御されることを特徴とする冷陰極。
【請求項２】
ｎ（ｎは自然数）本の走査ラインと、
該走査ラインに対応したｎ本の第１の走査用電極と、
該第１の走査用電極毎に対向するよう設けたｎ本の第２の走査用電極と、
前記第１及び第２の走査用電極と直交する複数のデータ用電極と、
前記第１及び第２の走査用電極と前記データ用電極とが直交する位置に設けられた冷陰極とを有したことを特徴とする電界放出型ディスプレイ。
【請求項３】
前記ｎ本の第１の走査用電極をｐ（ｐ＜ｎ，ｐは自然数）個の第１のグループに分け、前記ｎ本の第２の走査用電極をｑ（ｑ＜ｎ，ｑは自然数）個の第２のグループに分けると共に、
前記第１のグループの数ｐと第２のグループの数ｑとの積（ｐ・ｑ）がｐ・ｑ≧ｎを満たす自然数である請求項２に記載の電界放出型ディスプレイ。
【請求項４】
前記ｐ，ｑの双方が√ｎに等しいか、またはｐ，ｑのいずれかが√ｎに最も近くて√ｎより大きい自然数である請求項３に記載の電界放出型ディスプレイ。
【請求項５】
前記第１のグループ毎に第１の駆動パルスを順次印加すると共に、前記第２のグループ毎に第２の駆動パルスを順次印加し、前記第１の駆動パルスが印加された第１の走査用電極と対向する第２の走査用電極に前記第２の駆動パルスが印加された際、前記第１の駆動パルスが印加された第１の走査用電極と前記第２の駆動パルスが印加された第２の走査用電極の双方に対応する冷陰極から電子を放出して、前記ｎ本の走査ラインを順次走査する構成とした請求項３または４に記載の電界放出型ディスプレイ。
【請求項６】
ｎ本の第１の走査用電極と、
該ｎ本の第１の走査用電極と直交する複数のデータ用電極と、
前記第１の走査用電極毎に対向するよう設けたｎ本の第２の走査用電極と、
前記第１及び第２の走査用電極とデータ用電極とが交差する位置に設けられた冷陰極とを有した電界放出型ディスプレイの駆動方法であって、
前記第１の走査用電極に印加する第１の駆動パルスと、第２の走査用電極に印加する第２の駆動パルスとにより、前記冷陰極から放出される電子を制御することを特徴とする電界放出型ディスプレイの駆動方法。
【請求項７】
前記ｎ本の第１の走査用電極をｐ（ｐ＜ｎ，ｐは自然数）個の第１のグループに分け、前記ｎ本の第２の走査用電極をｑ（ｑ＜ｎ，ｑは自然数）個の第２のグループに分けると共に、前記第１のグループの数ｐと第２のグループの数ｑとの積（ｐ・ｑ）をｐ・ｑ≧ｎを満たす自然数とし、
前記第１のグループ毎に前記第１の駆動パルスを順次印加すると共に、前記第２のグループ毎に前記第２の駆動パルスを順次印加し、前記第１の駆動パルスが印加された第１の走査用電極と対向する第２の走査用電極に前記第２の駆動パルスが印加された際、前記第１の駆動パルスが印加された第１の走査用電極と前記第２の駆動パルスが印加された第２の走査用電極の双方に対応する冷陰極から電子を放出して、前記ｎ本の走査ラインを順次走査することを特徴とする請求項６に記載の電界放出型ディスプレイの駆動方法。
【発明の詳細な説明】
【技術分野】
【０００１】
本発明は、冷陰極、電界放出型ディスプレイ、及び電界放出型ディスプレイの駆動方法に係り、特に電子を放出する冷陰極エミッタを備えた冷陰極、電界放出型ディスプレイ、及び電界放出型ディスプレイの駆動方法に関する。
【背景技術】
【０００２】
電界放出型ディスプレイ（ＦＥＤ；Field  Emission  Display）には、カソード電極上に先端が先鋭な冷陰極エミッタと、カソード電極上に冷陰極エミッタを取り囲むような絶縁層と、絶縁層上にゲート電極とを形成して、冷陰極エミッタとゲート電極との間に電圧を印加して、高電界を発生させて冷陰極エミッタの先端から電子の放出を行うＳｐｉｎｄｔ型や、カソード電極とゲート電極との間に形成された絶縁層に電圧を印加し、高電界を発生させて、トンネル効果により電子の放出を行うＭＩＭ（Metal Insulator Metal）型や、カソード電極とゲート電極との間に形成された薄膜に微小ギャップを形成し、カソード電極とゲート電極との間に電圧を印加して、微小ギャップから電子の放出を行うＳＣＥ（Surface Conduction Emitter）型等の方式が検討されている。また、ＤＬＣ（Diamond Like Carbon）やＣＮＴ（Carbon Nanotube）等の炭素系材料を冷陰極エミッタの材料としてカソード電極上に設けて、ゲート電極とカソード電極とに電圧を印加して、電子を放出する方式も検討されている。
【０００３】
このような電界放出型ディスプレイは、冷陰極エミッタを備えた冷陰極を蛍光体の面と対向するように配置し、冷陰極エミッタから放出された電子を加速して蛍光体に照射することで発光させている。
【０００４】
図１及び図２を参照して、従来の電界放出型ディスプレイ１０について説明する。図１は、従来の電界放出型ディスプレイの断面図であり、図２は、図１に示した電界放出型ディスプレイの背面板を平面視した図である。なお、図２において、ゲート電極１６−１〜１６−ｎとカソード電極１３とが直交する領域には、１つの冷陰極２０のみ図示したが、実際には複数の冷陰極２０が設けられている。また、図２に示したＡは、画像が表示される表示領域を示しており、同図に示した符号に付した−１、−２、−３、・・・、−（ｎ−１）、−ｎは、番号を示している（例えば、１６−１は、「１番目のゲート電極」を示している。）。
【０００５】
電界放出型ディスプレイ１０は、ｎ本（ｎは自然数）の走査ライン２９−１〜２９−ｎを有しており、大略すると背面板１１と、前面板２２と、走査ライン２９−１〜２９−ｎを走査する際に使用されるｎ個の駆動回路２８とを有した構成とされている。前面板２２は、基板２３上にアノード電極２４と、蛍光体２６とが順次設けられた構成とされている。
【０００６】
背面板１１は、複数の冷陰極２０を備えており、大略すると基板１２と、複数のカソード電極１３と、絶縁層１５と、カソード電極１３と直交するｎ本のゲート電極１６−１〜１６−ｎとを有した構成とされている。ｎ本のゲート電極１６−１〜１６−ｎは、走査ライン２９−１〜２９−ｎと対向する位置に形成されている。
【０００７】
冷陰極２０は、カソード電極１３とゲート電極１６とが直交する基板１２上に設けられている。冷陰極２０は、大略すると基板１２上に設けられたカソード電極１３と、カソード電極１３上に形成された絶縁層１５と、絶縁層１５上に形成されたゲート電極１６と、開口部１７に露出されたカソード電極１３上に形成された冷陰極エミッタ１８とを有した構成とされている。開口部１７は、絶縁層１５及びゲート電極１６を貫通する開口部である。
【０００８】
駆動回路２８は、各ゲート電極１６−１〜１６−ｎに対してそれぞれ設けられている。駆動回路２８は、ｎ本の走査ライン２９−１〜２９−ｎを走査する際、ゲート電極１６−１〜１６−ｎに走査用の電圧パルスを印加するためのものである。電界放出型ディスプレイ１０では、１番目のゲート電極１６−１、２番目のゲート電極１６−２、・・・、（ｎ−１）番目のゲート電極１６−（ｎ−１）、ｎ番目のゲート電極１６−ｎの順に駆動パルスを印加してｎ本の走査ライン２９−１〜２９−ｎを走査する線順次走査方式を用いるため、このようにゲート電極１６−１〜１６−ｎ毎に駆動回路２８を設ける必要がある。
【０００９】
一方、プラズマディスプレイパネル（以下、「ＰＤＰ」とする）は、アドレス電極と、維持電極と、走査・維持電極とを有した構成とされており、ネオン、キセノン等の混合ガスが封入された放電空間内において、アドレス電極と走査・維持電極とに電圧パルスを印加して、気体放電を発生させることでアドレスを行い、維持電極と走査・維持電極とに電圧パルスを印加して、気体放電を発生させることで表示を行っている。また、ＰＤＰには、複数の維持電極と複数の走査・維持電極とをそれぞれ結線することで、走査用の駆動回路の数を低減したものがある（例えば、特許文献１参照。）。走査用の駆動回路の数を低減させたＰＤＰでは、始めに、維持電極と走査・維持電極とに電圧パルスを印加して放電させ、放電空間内にプライミング粒子を発生させ、その後、アドレス電極と走査・維持電極とに電圧パルスを印加して放電させて、壁電荷を形成して、アドレスを行っている。
【００１０】
他の従来の電界放出型ディスプレイには、冷陰極３５から放出された電子ビームを集束させるためのフォーカス電極３８を備えたものがある。図３は、フォーカス電極を備えた電界放出型ディスプレイの断面図である。なお、図３において、図１に示した電界放出型ディスプレイ１０と同一構成部分には同一の符号を付す。
【００１１】
図３に示すように、電界放出型ディスプレイ３０は、大略すると背面板３６と、前面板２２と、ｎ本のゲート電極１６毎に設けられた駆動回路２８とを有した構成とされている。背面板３６は、複数の冷陰極３５を有しており、大略すると基板１２と、複数のカソード電極１３と、絶縁層１５と、カソード電極１３と直交するｎ本のゲート電極１６と、冷陰極エミッタ１８と、絶縁層３７と、フォーカス電極３８とを有した構成とされている。
【００１２】
冷陰極３５は、カソード電極１３とゲート電極１６とが直交する基板１２上に設けられている。冷陰極３５は、先に説明した冷陰極２０の構成に絶縁層３７とフォーカス電極３８とを設けた構成とされている。絶縁層３７は、ゲート電極１６上に設けられており、フォーカス電極３８は、絶縁層３７上に設けられている。フォーカス電極３８は、電界放出型ディスプレイ３０に設けられた全ての冷陰極３５に対して共通の電極である。
【００１３】
このようなフォーカス電極３８を設け、ゲート電極１６に印加する電圧よりも低い電圧をフォーカス電極３８に印加し、下に凸んだ等電位線Ｃを形成することにより、冷陰極エミッタ１８から放出された電子ビームＢを集束させることができる（例えば、非特許文献１参照。）。
【特許文献１】特開平１０−３３３６３７号公報
【非特許文献１】Y.W.Jin,et al,“A Study on the Driving Propertyof Double Gated Triode-Type Field Emission Display using Carbon NanotubeEmitter”Proc.Euro Display‘02,pp.229-232,2002.
【発明の開示】
【発明が解決しようとする課題】
【００１４】
しかしながら、近年のディスプレイの高精細化により走査ライン２９−１〜２９−ｎの数は増加傾向にあり、走査ライン２９−１〜２９−ｎの増加に伴い、ゲート電極１６−１〜１６−ｎの数も増加するため、増加された走査ラインに対応するゲート電極にも駆動回路２８を設ける必要がある。そのため、ディスプレイの高精細化に伴い、電界放出型ディスプレイ１０，３０に設ける駆動回路２８の数の増加により、電界放出型ディスプレイ１０，３０の製造コストが増加するという問題があった。
【００１５】
そこで本発明は、上記事情に鑑みなされたもので、従来よりも少ない数の駆動回路で走査ラインを順次走査させて、製造コストを低減することのできる冷陰極、電界放出型ディスプレイ、及び電界放出型ディスプレイの駆動方法を提供することを目的とする。
【課題を解決するための手段】
【００１６】
上記課題を解決するために、本発明では、次に述べる各手段を講じたことを特徴とするものである。
【００１７】
請求項１記載の発明では、第１の走査用電極と、該第１の走査用電極と直交するデータ用電極と、前記第１の走査用電極とデータ用電極とが交差する位置に設けられ、電子を放出する冷陰極エミッタとを有した冷陰極であって、前記第１の走査用電極毎に前記第１の走査用電極と対向する第２の走査用電極を設け、前記第１及び第２の走査用電極に印加される電圧により、冷陰極からの電子放出が制御されることを特徴とする冷陰極により、解決できる。
【００１８】
上記発明によれば、第１の走査用電極毎に第１の走査用電極と対向する第２の走査用電極を設け、第１及び第２の走査用電極に印加される電圧により、冷陰極からの電子放出を制御することで、第１及び第２の走査用電極の両方に電圧が印加された際、冷陰極から電子を放出させ、第１の走査用電極又は第２の走査用電極のいずれか一方のみに電圧が印加された際、冷陰極から電子が放出されないようにして電子を放出させるか否かの制御を行うことができる。
【００１９】
請求項２記載の発明では、ｎ（ｎは自然数）本の走査ラインと、該走査ラインに対応したｎ本の第１の走査用電極と、該第１の走査用電極毎に対向するよう設けたｎ本の第２の走査用電極と、前記第１及び第２の走査用電極と直交する複数のデータ用電極と、前記第１及び第２の走査用電極と前記データ用電極とが直交する位置に設けられた冷陰極とを有したことを特徴とする電界放出型ディスプレイにより、解決できる。
【００２０】
上記発明によれば、ｎ本の第１の走査用電極毎に対向するようｎ本の第２の走査用電極を設けることにより、ｎ本の第１の走査用電極を幾つかのグループとなるよう結線し、ｎ本の第２の走査用電極とを幾つかのグループとなるように結線して、従来よりも少ない駆動回路数で電界放出型ディスプレイを走査させて、電界放出型ディスプレイの製造コストを低減することができる。
【００２１】
請求項３記載の発明では、前記ｎ本の第１の走査用電極をｐ（ｐ＜ｎ，ｐは自然数）個の第１のグループに分け、前記ｎ本の第２の走査用電極をｑ（ｑ＜ｎ，ｑは自然数）個の第２のグループに分けると共に、前記第１のグループの数ｐと第２のグループの数ｑとの積（ｐ・ｑ）がｐ・ｑ≧ｎを満たす自然数であることを特徴とする請求項３に記載の電界放出型ディスプレイにより、解決できる。
【００２２】
上記発明によれば、前記第１のグループの数ｐと第２のグループの数ｑとの積（ｐ・ｑ）がｐ・ｑ≧ｎを満たす自然数とすることにより、従来よりも少ない駆動回路数で電界放出型ディスプレイを走査させて、電界放出型ディスプレイの製造コストを低減することができる。
【００２３】
請求項４記載の発明では、前記ｐ，ｑの双方が√ｎに等しいか、またはｐ，ｑのいずれかが√ｎに最も近くて√ｎより大きい自然数である請求項３に記載の電界放出型ディスプレイにより、解決できる。
【００２４】
上記発明によれば、ｐ，ｑの双方が√ｎに等しいか、またはｐ，ｑのいずれかが√ｎに最も近くて√ｎより大きい自然数とすることにより、最小の駆動回路数で電界放出型ディスプレイを走査させて、電界放出型ディスプレイの製造コストをさらに低減することができる。
【００２５】
請求項５記載の発明では、前記第１のグループ毎に第１の駆動パルスを順次印加すると共に、前記第２のグループ毎に第２の駆動パルスを順次印加し、前記第１の駆動パルスが印加された第１の走査用電極と対向する第２の走査用電極に前記第２の駆動パルスが印加された際、前記第１の駆動パルスが印加された第１の走査用電極と前記第２の駆動パルスが印加された第２の走査用電極の双方に対応する冷陰極から電子を放出して、前記ｎ本の走査ラインを順次走査する構成とした請求項３または４に記載の電界放出型ディスプレイにより、解決できる。
【００２６】
上記発明によれば、第１の駆動パルスが印加された第１の走査用電極と対向する第２の走査用電極に第２の駆動パルスが印加された際、第１の駆動パルスが印加された第１の走査用電極と前記第２の駆動パルスが印加された第２の走査用電極の双方に対応する冷陰極から電子を放出して、ｎ本の走査ラインを順次走査することができる。
【００２７】
請求項６記載の発明では、ｎ本の第１の走査用電極と、該ｎ本の第１の走査用電極と直交する複数のデータ用電極と、前記第１の走査用電極毎に対向するよう設けたｎ本の第２の走査用電極と、前記第１及び第２の走査用電極とデータ用電極とが交差する位置に設けられた冷陰極とを有した電界放出型ディスプレイの駆動方法であって、前記第１の走査用電極に印加する第１の駆動パルスと、第２の走査用電極に印加する第２の駆動パルスとにより前記冷陰極から放出される電子を制御することを特徴とする電界放出型ディスプレイの駆動方法により、解決できる。
【００２８】
上記発明によれば、第１の走査用電極に印加する第１の駆動パルスと、第２の走査用電極に印加する第２の駆動パルスとにより、冷陰極から放出される電子を制御することで、従来よりも少ない駆動回路数で電界放出型ディスプレイを走査させて、電界放出型ディスプレイの製造コストを低減することができる。
【００２９】
請求項７記載の発明では、前記ｎ本の第１の走査用電極をｐ（ｐ＜ｎ，ｐは自然数）個の第１のグループに分け、前記ｎ本の第２の走査用電極をｑ（ｑ＜ｎ，ｑは自然数）個の第２のグループに分けると共に、前記第１のグループの数ｐと第２のグループの数ｑとの積（ｐ・ｑ）をｐ・ｑ≧ｎを満たす自然数とし、前記第１のグループ毎に前記第１の駆動パルスを順次印加すると共に、前記第２のグループ毎に前記第２の駆動パルスを順次印加し、前記第１の駆動パルスが印加された第１の走査用電極と対向する第２の走査用電極に前記第２の駆動パルスが印加された際、前記第１の駆動パルスが印加された第１の走査用電極と前記第２の駆動パルスが印加された第２の走査用電極の双方に対応する冷陰極から電子を放出して、前記ｎ本の走査ラインを順次走査することを特徴とする請求項６に記載の電界放出型ディスプレイの駆動方法により、解決できる。
【００３０】
上記発明によれば、第１のグループの数ｐと第２のグループの数ｑとの積（ｐ・ｑ）をｐ・ｑ≧ｎを満たす自然数とし、第１の駆動パルスが印加された第１の走査用電極と対向する第２の走査用電極に第２の駆動パルスが印加された際、第１の駆動パルスが印加された第１の走査用電極と前記第２の駆動パルスが印加された第２の走査用電極の双方に対応する冷陰極から電子を放出することで、従来よりも少ない駆動回路数で電界放出型ディスプレイを走査させて、電界放出型ディスプレイの製造コストを低減することができる。
【発明の効果】
【００３１】
本発明によれば、従来よりも少ない数の駆動回路で走査ラインを順次走査させて、製造コストを低減することのできる冷陰極、電界放出型ディスプレイ、及び電界放出型ディスプレイの駆動方法を提供することができる。
【発明を実施するための最良の形態】
【００３２】
次に、図面に基づいて本発明の実施の形態について説明する。
【００３３】
（実施の形態）
始めに、図４を参照して、本実施の形態による電界放出型ディスプレイ４０の構成について説明する。図４は、実施の形態による電界放出型ディスプレイの概略図である。なお、図４において、Ｘ，Ｘ方向は、図５に示す第１及び第２の走査用電極５４，５７の長手方向を示しており、Ｙ，Ｙ方向は、第１及び第２の走査用電極５４，５７と直交するデータ用電極５９の長手方向を示している。
【００３４】
電界放出型ディスプレイ４０は、大略するとデータ入力端子３９と、制御装置４１と、第１のシフトレジスタ４２と、第２のシフトレジスタ４３と、第１の駆動装置４４と、第２の駆動装置４５と、データ用駆動装置４６と、信号線４７〜４９，７５，７８と、ディスプレイ本体５０とを有した構成とされている。
【００３５】
データ入力端子３９は、画像データａを制御装置４１に供給するためのものである。制御装置４１は、電界放出型ディスプレイ４０の制御全般を行うものである。制御装置４１は、第１のシフトレジスタ４２にクロックＣ１及び走査パルスＰ１を入力することで、第１のシフトレジスタ４２を介して、第１の駆動装置４４の駆動を制御するためのものである。
【００３６】
また、制御装置４１は、第２のシフトレジスタ４３にクロックＣ２及び走査パルスＰ２を入力することで、第２のシフトレジスタ４３を介して、第２の駆動装置４５の駆動も制御する。第１のシフトレジスタ４２は、入力されたクロックＣ１及び走査パルスＰ１の記憶及びシフトを行うためのものであり、第２のシフトレジスタ４３は、クロックＣ２及び走査パルスＰ２の記憶及びシフトを行うためのものである。
【００３７】
第１の駆動装置４４には、ｐ（ｐ＜ｎ，ｐは自然数）個の駆動回路７６が配設されている。駆動回路７６は、第１の走査用電極５４（図５参照）に第１の駆動パルスを印加するためのものである。各駆動回路７６は、信号線４７により第１のシフトレジスタ４２と接続されている。また、後述する第１の走査用電極５４−１〜５４−ｎは、ｐ個の第１のグループに分けられており、各駆動回路７６は第１のグループと信号線７５により接続されている。各第１のグループは、少なくとも１本以上の第１の走査用電極５４により構成されている。なお、第１のグループの分け方、及び各駆動回路７６と第１のグループとの間の具体的な結線方法については、実施例において具体例を挙げて説明する。
【００３８】
第２の駆動装置４５には、ｑ（ｑ＜ｎ，ｑは自然数）個の駆動回路６４が配設されている。駆動回路６４は、第２の走査用電極５７（図５参照）に第２の駆動パルスを印加するためのものである。各駆動回路６４は、信号線４８により第２のシフトレジスタ４３と接続されている。また、後述する第２の走査用電極５７−１〜５７−ｎは、ｑ個の第２のグループに分けられており、各駆動回路６４は第２のグループと信号線７８により接続されている。各第２のグループは、少なくとも１本以上の第２の走査用電極５７により構成されている。また、駆動回路７６の数（ｐ）と駆動回路６４の数（ｑ）は、駆動回路７６の数（ｐ）と駆動回路６４の数（ｑ）との積（ｐ・ｑ）がｐ・ｑ≧ｎを満たし、ｐ＋ｑがなるべく小さくなるように決定されている。このように、駆動回路７６の数（ｐ）と駆動回路６４の数（ｑ）を設定することで、最小数の駆動回路での走査を行うことができる。従って、駆動回路７６の数（ｐ）と駆動回路６４の数（ｑ）との積（ｐ・ｑ）は、好ましくはｎに等しいか、或いはｎよりも大きくｎになるべく近い自然数にすると良い。
【００３９】
また、第２のグループの分け方、及び各駆動回路６４と第２のグループとの間の具体的な結線方法については、実施例において具体例を挙げて説明する。
【００４０】
データ用駆動装置４６は、信号線４９により複数のデータ電極５９と接続されている。データ用駆動装置４６は、制御装置４１から入力される画像データａをデータ用電極５９に出力するためのものである。
【００４１】
次に、図５乃至図７を参照して、ディスプレイ本体５０について説明する。図５は、ディスプレイ本体の斜視図であり、図６は、冷陰極に対応した部分のディスプレイ本体の断面図であり、図７は、背面板の平面図である。なお、図５及び図７において、Ｘ，Ｘ方向は、第１の走査用電極５４及び第２の走査用電極５７の長手方向を示しており、Ｙ，Ｙ方向は、第１の走査用電極５４及び第２の走査用電極５７と直交するデータ用電極５９の長手方向を示している。また、図７では、冷陰極６０の図示を省略する。
【００４２】
ディスプレイ本体５０は、ｎ本（ｎは自然数）の走査ライン６８−１〜６８−ｎを有しており、大略すると前面板６５と、複数の冷陰極６０を備えた背面板５１とを備えた構成とされている。前面板６５は、大略すると透明な基板６６と、アノード電極６７と、蛍光体６９とを有しており、基板６６の一方の面に、アノード電極６７と、蛍光体６９とを順次形成した構成とされている。蛍光体６９は、冷陰極６０と対向するよう配置されている。蛍光体６９には、例えば、赤色蛍光体、緑色蛍光体、及び青色蛍光体を用いることができる。
【００４３】
背面板５１は、複数の冷陰極６０を備えており、大略すると基板５２と、複数のデータ用電極５９と、絶縁層５３，５５と、ｎ本の第１の走査用電極５４−１〜５４−ｎと、ｎ本の第２の走査用電極５７−１〜５７−ｎとを有した構成とされている。背面板５１は、冷陰極６０が前面板６５の蛍光体６９と対向するよう配置されている。複数のデータ用電極５９は、Ｙ，Ｙ方向がデータ用電極５９の長手方向となるように基板５２上に設けられている。絶縁層５３は、データ用電極５９を覆うよう基板５２上に形成されている。
【００４４】
第１の走査用電極５４−１〜５４−ｎは、データ用電極５９と直交するよう絶縁層５３上に設けられている。第１の走査用電極５４−１〜５４−ｎは、走査ライン６８−１〜６８−ｎに対応するよう配置されている。絶縁層５５は、第１の走査用電極５４−１〜５４−ｎを覆うよう絶縁層５３上に形成されている。第２の走査用電極５７は、第１の走査用電極５４−１〜５４−ｎ毎に対向するよう設けられている。第２の走査用電極５７−１〜５７−ｎは、それぞれ他の第２の走査用電極と分離された構成とされている。
【００４５】
冷陰極６０は、データ用電極５９と第１の走査用電極５４−１〜５４−ｎとが直交する領域Ｄに対応した基板５２上に複数設けられている。図６に示すように、冷陰極６０は、大略するとデータ用電極５９と、絶縁層５３と、第１の走査用電極５４と、絶縁層５５と、第２の走査用電極５７と、冷陰極エミッタ６１とを有した構成とされている。
【００４６】
冷陰極エミッタ６１は、絶縁層５３，５５に形成された開口部６２に露出されたデータ用電極５９上に設けられている。冷陰極エミッタ６１は、データ用電極５９に電圧ＶＣＰと、第１の走査用電極５４に電圧ＶＡＰ（第１の駆動パルス）とが印加された際、電子を放出する。
【００４７】
冷陰極６０は、第１の走査用電極５４に電圧ＶＡＰ（第１の駆動パルス）が印加されると共に、電圧ＶＡＰが印加された第１の走査用電極５４と対向する第２の走査用電極５７に電圧ＶＢＰ（第２の駆動パルス）が印加された際、冷陰極エミッタ６１から放出された電子を電子ビームとして蛍光体６９に向けて放出するように構成されている。なお、電圧ＶＢＰは、電子ビームを集束させることが可能な電圧値とされている。
【００４８】
次に、図８及び図９を参照して、冷陰極６０の制御方法について説明する。図８は、冷陰極から蛍光体に向けて電子ビームが放出された状態を模式的に示した図であり、図９は、冷陰極エミッタから放出された電子が冷陰極内に留められた状態を模式的に示した図である。なお、図８に示したＦは等電位線（以下、「等電位線Ｆ」とする）、図９に示したＨは等電位線（以下、「等電位線Ｈ」とする）をそれぞれ示している。
【００４９】
図８は、第１の走査用電極５４に電圧ＶＡＰ（第１の駆動パルス）、第２の走査用電極５７に電圧ＶＢＰ（第２の駆動パルス）、データ用電極５９に電圧ＶＣＰがそれぞれ印加された状態の冷陰極６０を示している。この場合、冷陰極６０には、第１の走査用電極５４に電圧ＶＡＰと、データ用電極５９に電圧ＶＣＰとが印加されているので、冷陰極エミッタ６１から電子が放出される。また、第１の走査用電極５４に電圧ＶＡＰと、第２の走査用電極５７に電圧ＶＢＰとが印加されているので、冷陰極エミッタ６１から放出された電子は、冷陰極６０から電子ビームＧとして蛍光体６９に向けて放出される。
【００５０】
図９は、第１の走査用電極５４に電圧ＶＡＰ（第１の駆動パルス）、データ用電極５９に電圧ＶＣＰをそれぞれ印加した状態（第２の走査用電極５７に電圧ＶＢＰを印加していない状態）の冷陰極６０を示している。この場合、冷陰極６０には、第１の走査用電極５４に電圧ＶＡＰと、データ用電極５９に電圧ＶＣＰとが印加されているので、冷陰極エミッタ６１から電子が放出される。しかし、第２の走査用電極５７には、電圧ＶＢＰ（第２の駆動パルス）が印加されていないため、冷陰極エミッタ６１から放出された電子は、冷陰極６０内に留められる。なお、第２の走査用電極５７に電圧ＶＢＰ、データ用電極５９に電圧ＶＣＰをそれぞれ印加した場合（第１の走査用電極５４に電圧ＶＡＰを印加しない場合）には、冷陰極エミッタ６１から電子は放出されない。
【００５１】
このように、データ用電極５９と直交する第１の走査用電極５４と、データ用電極５９と直交すると共に、第１の走査用電極５４と対向する第２の走査用電極５７とを冷陰極６０に設けることにより、冷陰極エミッタ６１から電子を放出させるか否かを第１の走査用電極５４と第２の走査用電極５７との２つの電極で制御することができる。
【００５２】
これにより、第１の走査電極５４と第２の走査電極５７をグループ化し、グループ化された電極単位で電圧が供給されるように、駆動回路との間を結線しておけば、グループ単位で順次電圧が印加されてゆくときに、第１の走査用電極５４に電圧ＶＡＰと第２の走査用電極５７に電圧ＶＢＰが同時に印加された際、冷陰極エミッタ６１から放出された電子を冷陰極６０から電子ビームＧとして放出する。
【００５３】
以上説明したように、ｎ本の第１の走査用電極５４−１〜５４−ｎをｐ（ｐ＜ｎ，ｐは自然数）個の第１のグループに分け、第２の走査用電極５７−１〜５７−ｎをｑ（ｑ＜ｎ，ｑは自然数）個の第２のグループに分け、かつ駆動回路６４の数ｐと駆動回路７６の数ｑとの積（ｐ・ｑ）をｐ・ｑ≧ｎを満たし、なるべくｎに近い自然数にすると共に、ｐ，ｑも同じとするかなるべく互いに近い数とする。そして、第１の走査用電極５４に電圧ＶＡＰと、第２の走査用電極５７に電圧ＶＢＰとが印加された際、冷陰極エミッタ６１から放出された電子を冷陰極６０から電子ビームＧとして放出するように、駆動回路７６と第１のグループとの間、及び駆動回路６４と第２のグループとの間を結線することで、従来の電界放出型ディスプレイ１０，３０よりも少ない数の駆動回路６４，７６で、ｎ本の走査ライン６８−１〜６８−ｎを順次走査して画像を表示させることができる。
【００５４】
これは、次のように説明できる。駆動回路の数はｐ＋ｑであり、これをなるべく小さくするには、ｐ＋ｑ≧２√（ｐ・ｑ）の式から、等号が成立するのはｐ＝ｑのときであるので、ｐ＝ｑとすれば一番駆動回路の数が少なくて済む。例えば、ｎを１００とすれば、（ｐ，ｑ）の組み合わせは（２，５０）、（４，２５）、（５，２０）、（１０，１０）のいずれでもよいが、駆動回路数は順に５２個、２９個、２５個、２０個であり、ｐ＝ｑの場合が一番少ない。この場合、√ｎが整数にならなければ、ｎを２つの整数の積で表して、その中で最も近い数同士の積になるようにすれば、駆動回路の数が最も少なくて済む。
【００５５】
これにより、従来の電界放出型ディスプレイ１０，３０よりも電界放出型ディスプレイ５０に設ける駆動回路６４，７６の数が少なくなるため、電界放出型ディスプレイ５０の製造コストを低減することができる。
【００５６】
なお、データ用電極５９と第２の走査用電極５７とを対向するよう配置し、データ用電極５９及び第２の走査用電極５７と直交するように第１の走査電極５４を配置させて、データ用電極５９と第２の走査用電極５７とに印加する電圧により電界放出型ディスプレイの走査を行う構成としても良い。このとき、第１の走査用電極５４には、画像データａに対応する電圧パルスを印加する。
【００５７】
（第１実施例）
次に、図１０を参照して、第１実施例の電界放出型ディスプレイ７０の構成及び結線方法について説明する。図１０は、第１実施例の電界放出型ディスプレイの構成及び結線方法を説明するための図である。なお、図１０において、先に説明した電界放出型ディスプレイ４０と同一構成部分には同一の符号を付す。また、図１０に示した符号に付した−１、−２、−３、・・・、−１５、−１６は、番号を示している（例えば、６８−１は、「１番目の走査ライン」を示している。）。
【００５８】
電界放出型ディスプレイ７０は、１６本（ｎ＝１６）の走査ライン６８−１〜６８−１６を有している。本実施例では、第１の駆動装置４４Ａに４個（ｐ＝４）の駆動回路７６−１〜７６−４を設け、第２の駆動装置４５Ａに４個（ｑ＝４）の駆動回路６４−１〜６４−４を設けた場合（ｐ＝ｑで、（ｐ・ｑ）がｎに等しい場合）を例に挙げて以下の説明をする。
【００５９】
電界放出型ディスプレイ７０は、大略するとディスプレイ本体５０Ａと、４個の駆動回路７６−１〜７６−４を備えた第１の駆動装置４４Ａと、４個の駆動回路６４−１〜６４−４を備えた第２の駆動装置４５Ａと、信号線７５Ａ，７８Ａと、図示していない第１及び第２のシフトレジスタ４２，４３、データ用駆動装置４６、制御装置４１、及びデータ入力端子３９とを有した構成とされている。  ディスプレイ本体５０Ａは、大略すると前面板６５（図示せず）と、１６本の第１の走査用電極５４−１〜５４−１６と、１６本の第２の走査用電極５７−１〜５７−１６と、複数のデータ用電極５９と、第１の走査用電極５４−１〜５４−１６とデータ用電極５９とが直交する基板５２上に設けられた冷陰極６０（図示せず）とを有した構成とされている。
【００６０】
第１の駆動装置４４Ａは、４個の駆動回路７６−１〜７６−４から構成されている。したがって、１６本の第１の走査用電極５４−１〜５４−１６を４個の駆動回路７６−１〜７６−４に接続するためには、第１の走査用電極５４−１〜５４−１６を４個（ｐ＝４）の第１のグループに分ける必要がある。本実施例では、連続する４本の第１の走査用電極５４が第１のグループとなるようグループ化されており、第１の走査用電極５４−１〜５４−４（以下、「第１の走査用電極群Ｖ１」とする）と駆動回路７６−１との間、第１の走査用電極５４−５〜５４−８（以下、「第１の走査用電極群Ｖ２」とする）と駆動回路７６−２との間、第１の走査用電極５４−９〜５４−１２（以下、「第１の走査用電極群Ｖ３」とする）と駆動回路７６−３との間、第１の走査用電極５４−１３〜５４−１６（以下、「第１の走査用電極群Ｖ４」とする）と駆動回路７６−４との間はそれぞれ信号線７５Ａにより結線されている。
【００６１】
第２の駆動装置４５Ａは、４個の駆動回路６４−１〜６４−４から構成されている。したがって、１６本の第２の走査用電極５７−１〜５７−１６を駆動回路６４−１〜６４−４に接続するためには、第２の走査用電極５７−１〜５７−１６を４個（ｑ＝４）の第２のグループに分ける必要がある。本実施例では、４本の第２の走査用電極５７が第２のグループとなるようグループ化されており、第２の走査用電極５７−１，５７−５，５７−９，５７−１３（以下、「第２の走査用電極群Ｗ１」とする）と駆動回路６４−１との間、第２の走査用電極５７−２，５７−６，５７−１０，５７−１４（以下、「第２の走査用電極群Ｗ２」とする）と駆動回路６４−２との間、第２の走査用電極５７−３，５７−７，５７−１１，５７−１５（以下、「第２の走査用電極群Ｗ３」とする）と駆動回路６４−３との間、第２の走査用電極５７−４，５７−８，５７−１２，５７−１６（以下、「第２の走査用電極群Ｗ４」とする）と駆動回路６４−４との間はそれぞれ信号線７８Ａにより結線されている。
【００６２】
次に、図１１を参照して、第１実施例の電界放出型ディスプレイ７０の駆動方法について説明する。図１１は、第１実施例の電界放出型ディスプレイの駆動パルスの波形を示した図である。なお、図１１に示した１Ｈは、１水平ラインを走査する時間を示しており、１Ｆは１画面を構成するのに要する（１画面を走査する）時間を示している。
【００６３】
また、図１１において、（ａ１）は第１の走査用電極群Ｖ１の駆動パルスの波形、（ａ２）は第１の走査用電極群Ｖ２の駆動パルスの波形、（ａ３）は第１の走査用電極群Ｖ３の駆動パルスの波形、（ａ４）は第１の走査用電極群Ｖ４の駆動パルスの波形、（ｂ１）は第２の走査用電極群Ｗ１の駆動パルスの波形、（ｂ２）は第２の走査用電極群Ｗ２の駆動パルスの波形、（ｂ３）は第２の走査用電極群Ｗ３の駆動パルスの波形、（ｂ４）は第２の走査用電極群Ｗ４の駆動パルスの波形、（ｃ）はデータ用電極５９の駆動パルスの波形をそれぞれ示している。
【００６４】
なお、先に説明したように、第１の走査用電極５４に電圧ＶＡＰ（第１の駆動パルス）と、データ用電極５９に電圧ＶＣＰ（ＶＣＰ＜ＶＣＮ）とが印加された際、冷陰極エミッタ６１から電子が放出し、電圧ＶＡＰ（ＶＡＰ＞ＶＡＮ）が印加された第１の走査用電極５４と対向する第２の走査用電極５７に電圧ＶＢＰ（第２の駆動パルス，ＶＢＰ＞ＶＢＮ）が印加されることで、冷陰極６０から蛍光体６９に向けて電子ビームが放出されるように、電圧ＶＡＰ、電圧ＶＡＮ、電圧ＶＢＰ、電圧ＶＢＮ、電圧ＶＣＰ、及び電圧ＶＣＮの数値はそれぞれ設定されている。また、電圧ＶＢＰは、電子ビームを集束させるような電圧値とされている。
【００６５】
図１１に示すように、時刻ｔ１において、第１の走査用電極群Ｖ１に電圧ＶＡＰ、第１の走査用電極群Ｖ２〜Ｖ４に電圧ＶＡＮ、第２の走査用電極群Ｗ１に電圧ＶＢＰ、第２の走査用電極群Ｗ２〜Ｗ４に電圧ＶＢＮをそれぞれ印加する。これにより、データ用電極５９に電圧ＶＣＰが印加されたラインでは、第１の走査用電極群Ｖ１とデータ用電極５９とが直交する領域に位置する冷陰極６０の冷陰極エミッタ６１から電子が放出される。しかし、第１の走査用電極５４−２〜５４−４と対向する第２の走査用電極５７−２〜５４−４には、電圧ＶＢＰよりも小さい電圧ＶＢＮが印加されているため、冷陰極エミッタ６１から放出された電子は冷陰極６０内に留められ、第１の走査用電極５４−２〜５４−４に対応した冷陰極６０から電子ビームは放出されない。
【００６６】
一方、第１の走査用電極５４−１と対向する第２の走査用電極５７−１には、電圧ＶＢＰが印加されており、１番目の走査ライン６８−１が走査され、データ用電極５９に電圧ＶＣＰが印加されたラインでは、電子は電子ビームとして、冷陰極６０から蛍光体６９に向けて放出される。なお、電圧ＶＡＰよりも小さい電圧ＶＡＮが印加された第１の走査用電極５４−５〜５４−１６に対応した冷陰極６０からは、電子は放出されない。
【００６７】
次に、時刻ｔ２において、第２の走査用電極群Ｗ１に電圧ＶＢＮ、第２の走査用電極群Ｗ２に電圧ＶＢＰをそれぞれ印加（第２の走査用電極群Ｗ１，Ｗ２以外の電極は、時刻ｔ１と同じ電圧値）して、２番目の走査ライン６８−２の走査を行う。データ用電極５９に電圧ＶＣＰが印加されたラインでは、第１及び第２の走査用電極５４−２，５７−２に対応した冷陰極６０から電子ビームが放出する。
【００６８】
続いて、３番目〜１６番目の走査ライン６８−３〜６８−１６の走査も同様に、図１１に示した駆動パルスの波形に従って、各電極に所定の電圧を印加することで、３番目の走査ライン６８−３、４番目の走査ライン６８−４、・・・、１５番目の走査ライン６８−１５、１６番目の走査ライン６８−１６の順に走査することができる。
【００６９】
以上説明したように、各駆動回路７６−１〜７６−４に連続する４本の第１の走査用電極５４からなる第１のグループを信号線７５Ａにより結線し、各駆動回路６４−１〜６４−４に４本の第２の走査用電極５７からなる第２のグループを信号線７８Ａにより結線し、上記駆動方法を用いることで、従来の電界放出型ディスプレイ１０，３０の駆動回路数（１６個）よりも少ない８個の駆動回路６４−１〜６４−４，７６−１〜７６−４で、１６本の走査ライン６８−１〜６８−１６を順次走査することが可能となる。これにより、従来の電界放出型ディスプレイ１０，３０よりも駆動回路の数を少なくして、電界放出型ディスプレイ７０の製造コストを低減させることができる。
【００７０】
（第２実施例）
次に、図１２を参照して、第２実施例の電界放出型ディスプレイ８０の構成及び結線方法について説明する。図１２は、第２実施例の電界放出型ディスプレイの構成及び結線方法を説明するための図である。なお、図１２において、先に説明した電界放出型ディスプレイ７０と同一構成部分には同一の符号を付す。また、図１２に示した符号に付した−１、−２、−３、・・・、−１０２４は、番号を示している（例えば、６８−１は、「１番目の走査ライン」を示している。）。
【００７１】
電界放出型ディスプレイ８０は、１０２４本（ｎ＝１０２４）の走査ライン６８−１〜６８−１０２４を有している。本実施例では、第１の駆動装置４４Ｂに３２個（ｐ＝３２）の駆動回路７６−１〜７６−３２を設け、第２の駆動装置４５Ｂに３２個（ｑ＝３２）の駆動回路６４−１〜６４−３２を設けた場合（ｐ＝ｑで、（ｐ・ｑ）がｎに等しい場合）を例に挙げて以下の説明をする。
【００７２】
電界放出型ディスプレイ８０は、１０２４本の第１の走査用電極５４−１〜５４−１０２４と、１０２４本の第２の走査用電極５７−１〜５７−１０２４と、複数のデータ用電極５９と、第１の走査用電極５４−１〜５４−１０２４とデータ用電極５９とが直交する領域に設けられた冷陰極６０（図示せず）と、３２個の駆動回路７６−１〜７６−３２を備えた第１の駆動装置４４Ｂと、３２個の駆動回路６４−１〜６４−３２を備えた第２の駆動装置４５Ｂと、信号線７５Ｂ，７８Ｂと、図示していない第１及び第２のシフトレジスタ４２，４３、データ用駆動装置４６、制御装置４１、及びデータ入力端子３９とを有した構成とされている。
【００７３】
第１の駆動装置４４Ｂは、３２個（ｐ＝３２）の駆動回路７６−１〜７６−３２から構成されている。したがって、１０２４本の第１の走査用電極５４−１〜５４−１０２４を３２個の駆動回路７６−１〜７６−３２に接続するためには、１０２４本の第１の走査用電極５４−１〜５４−１０２４を３２個の第１のグループに分ける必要がある。
【００７４】
本実施例では、連続する３２本の第１の走査用電極５４が第１のグループとなるようグループ化されており、第１の走査用電極５４−１〜５４−３２（以下、「第１の走査用電極群Ｈ１」とする）と駆動回路７６−１との間、第１の走査用電極５４−３３〜５４−６４（以下、「第１の走査用電極群Ｈ２」とする）と駆動回路７６−２との間、・・・、第１の走査用電極５４−９６１〜５４−９９２（以下、「第１の走査用電極群Ｈ３１」とする）と駆動回路７６−３１との間、第１の走査用電極５４−９９３〜５４−１０２４（以下、「第１の走査用電極群Ｈ３２」とする）と駆動回路７６−３２との間はそれぞれ信号線７５Ｂにより結線されている。
【００７５】
第２の駆動装置４５Ｂは、３２個（ｑ＝３２）の駆動回路６４−１〜６４−３２から構成されている。したがって、１０２４本の第２の走査用電極５７−１〜５７−１０２４を駆動回路６４−１〜６４−３２に接続して駆動させるためには、１０２４本の第２の走査用電極５７−１〜５７−１０２４を３２個の第２のグループに分ける必要がある。
【００７６】
本実施例では、３２本の第２の走査用電極５７が第２のグループとなるようグループ化されており、第２の走査用電極５７−１，５７−３３，５７−６５，・・・、５７−９６１、５７−９９３（以下、「第２の走査用電極群Ｊ１」とする）と駆動回路６４−１との間、第２の走査用電極５７−２，５７−３４，５７−６６，・・・，５７−９６２、５７−９９４（以下、「第２の走査用電極群Ｊ２」とする）と駆動回路６４−２との間、・・・・・、第２の走査用電極５７−３１，５７−６３，５７−９５，・・・，５７−９９１、５７−１０２３（以下、「第２の走査用電極群Ｊ３１」とする）と駆動回路６４−３１との間、第２の走査用電極５７−３２，５７−６４，５７−９６，・・・，５７−９９２、５７−１０２４（以下、「第２の走査用電極群Ｊ３２」とする）と駆動回路６４−３２との間はそれぞれ信号線７８Ｂにより結線されている。
【００７７】
次に、図１３を参照して、第２実施例の電界放出型ディスプレイ８０の駆動方法について説明する。図１３は、第２実施例の電界放出型ディスプレイの駆動パルスの波形を示した図である。なお、図１３に示した１Ｈは、１水平ラインを走査する時間を示しており、１Ｆは１画面を構成するのに要する（１画面を走査する）時間を示している。
【００７８】
また、図１３において、（ｄ１）は第１の走査用電極群Ｈ１の駆動パルスの波形、（ｄ２）は第１の走査用電極群Ｈ２の駆動パルスの波形、（ｄ３２）は第１の走査用電極群Ｈ３２の駆動パルスの波形、（ｅ１）は第２の走査用電極群Ｊ１の駆動パルスの波形、（ｅ２）は第２の走査用電極群Ｊ２の駆動パルスの波形、（ｅ３２）は第２の走査用電極群Ｊ３２の駆動パルスの波形、（ｆ）はデータ用電極５９の駆動パルスの波形をそれぞれ示している。
【００７９】
なお、第１の走査用電極５４に電圧ＶＡＰ（第１の駆動パルス）と、データ用電極５９に電圧ＶＣＰ（ＶＣＰ＜ＶＣＮ）とが印加された際、冷陰極６０の冷陰極エミッタ６１から電子が放出し、電圧ＶＡＰ（ＶＡＰ＞ＶＡＮ）が印加された第１の走査用電極５４と対向する第２の走査用電極５７に電圧ＶＢＰ（第２の駆動パルス、ＶＢＰ＞ＶＢＮ）が印加されることで、冷陰極エミッタ６１から放出された電子は電子ビームとして、冷陰極６０から蛍光体６９に向けて放出されように、電圧ＶＡＰ、電圧ＶＡＮ、電圧ＶＢＰ、電圧ＶＢＮ、電圧ＶＣＰ、及び電圧ＶＣＮの数値は設定されている。また、電圧ＶＢＰは、電子ビームを集束させるような電圧値とされている。
【００８０】
図１３に示すように、時刻ｔ１において、第１の走査用電極群Ｈ１に電圧ＶＡＰ、第１の走査用電極群Ｈ２〜Ｈ３２に電圧ＶＡＮ、第２の走査用電極群Ｊ１に電圧ＶＢＰ、第２の走査用電極群Ｊ２〜Ｊ３２に電圧ＶＢＮをそれぞれ印加して、１番目の走査ライン６８−１の走査を行う。データ用電極５９に電圧ＶＣＰが印加されたラインでは、第１及び第２の走査用電極５４−１，５７−１に対応した冷陰極６０から電子ビームが放出する。
【００８１】
続いて、時刻ｔ２において、第２の走査用電極群Ｊ１に電圧ＶＢＮ、第２の走査用電極群Ｊ２に電圧ＶＢＰをそれぞれ印加（第２の走査用電極群Ｊ１，Ｊ２以外の電極は、時刻ｔ１と同じ電圧値）して、２番目の走査ライン６８−２の走査を行う。データ用電極５９に電圧ＶＣＰが印加されたラインでは、第１及び第２の走査用電極５４−２，５７−２に対応した冷陰極６０から電子ビームが放出する。その後、第２の走査用電極群Ｊ３、第２の走査用電極群Ｊ４、・・・、第２の走査用電極群Ｊ３１、第２の走査用電極群Ｊ３２の順に電圧ＶＢＰを印加すると共に、電圧ＶＢＰが印加された第２の走査用電極群以外の第２の走査用電極群に電圧ＶＢＮを印加することで、３番目〜３２番目の走査ライン６８−３〜６８−３２の走査を順次行う。
【００８２】
次に、時刻ｔ３において、第１の走査用電極群Ｈ１，Ｈ３〜Ｈ３２に電圧ＶＡＮ、第１の走査用電極群Ｈ２に電圧ＶＡＰ、第２の走査用電極群Ｊ１に電圧ＶＢＰ、第２の走査用電極群Ｊ２〜Ｊ３２に電圧ＶＢＮをそれぞれ印加して、３３番目の走査ライン６８−３３の走査を行う。データ用電極５９に電圧ＶＣＰが印加されたラインでは、第１及び第２の走査用電極５４−３３，５７−３３に対応した冷陰極６０から電子ビームが放出する。
【００８３】
続いて、第２の走査用電極群Ｊ２、第２の走査用電極群Ｊ３、・・・、第２の走査用電極群Ｊ３１、第２の走査用電極群Ｊ３２の順に電圧ＶＢＰを印加すると共に、電圧ＶＢＰが印加された第２の走査用電極群以外の第２の走査用電極群に電圧ＶＢＮを印加（第２の走査用電極群Ｊ１〜Ｊ３２以外の電極は、時刻ｔ２と同じ電圧値）することで、３４〜６８番目の走査ライン６８−３４〜６８−６４の走査を順次行う。
【００８４】
その後、同様な手法により、第１の走査用電極群Ｈ３、第１の走査用電極群Ｈ４、・・・、第１の走査用電極群Ｈ３１、第１の走査用電極群Ｈ３２に順次電圧ＶＡＰを印加すると共に、第２の走査用電極群Ｊ１、第２の走査用電極群Ｊ２、・・・、第２の走査用電極群Ｊ３１、第２の走査用電極群Ｊ３２に順次電圧ＶＢＰを印加することで、６５〜１０２４番目の走査ライン６８−６５〜６８−１０２４を順次走査することができる。また、時刻ｔ４において、次のフレームを表示する際も同様な手法により、走査することができる。
【００８５】
次に、図１４を参照して、本実施例の上記走査を行う際に必要な第１及び第２のシフトレジスタ４２，４３（図４参照）に入力されるクロックＣ１，Ｃ２及び走査パルスＰ１，Ｐ２の波形について説明する。図１４は、第１及び第２のシフトレジスタに入力されるクロック及び走査パルスの波形を示した図である。なお、図１４において、（ｈ１）はクロックＣ１の波形、（ｋ１）は走査パルスＰ１の波形、（ｈ２）はクロックＣ２の波形、（ｋ２）は走査パルスＰ２の波形をそれぞれ示している。
【００８６】
本実施例の電界放出型ディスプレイ８０では、３２本の第１の走査用電極５４からなる第１のグループを３２個（ｐ＝３２）設け、駆動回路７６−１〜７６−３２のそれぞれに対して第１のグループを接続すると共に、３２本の第２の走査用電極５７からなる第２のグループを３２個（ｑ＝３２個）設け、駆動回路６４−１〜６４−３２のそれぞれに対して第２のグループを接続した構成とされている。したがって、第１のシフトレジスタ４２に入力される走査パルスＰ１のパルス幅は３２Ｈ、クロックＣ１の周期は３２Ｈとなり、第２のシフトレジスタ４３に入力される走査パルスＰ２のパルス幅は１Ｈ、クロックＣ２の周期は１Ｈとなる。
【００８７】
このようなクロックＣ１及び第１の走査パルスＰ１を第１のシフトレジスタ４２に入力すると共に、クロックＣ２及び第２の走査パルスＰ２を第２のシフトレジスタ４３に入力することで、図１３に示した駆動パルスを第１の走査用電極５４−１〜５４−１０２４及び第２の走査用電極５７−１〜５７−１０２４に印加させることができる。
【００８８】
以上説明したように、３２本の第１の走査用電極５４からなる第１のグループを３２個設け、駆動回路７６−１〜７６−３２のそれぞれに対して第１のグループを接続すると共に、３２本の第２の走査用電極５７からなる第２のグループを３２個設け、駆動回路６４−１〜６４−３２のそれぞれに対して第２のグループを接続し、上記駆動方法を用いることにより、従来の電界放出型ディスプレイ１０，３０の駆動回路数（１０２４個）よりも少ない６４個の駆動回路６４−１〜６４−３２，７６−１〜７６−３２で１０２４本の走査ライン６８−１〜６８−１０２４を順次走査することが可能となる。これにより、従来の電界放出型ディスプレイ１０，３０よりも駆動回路の数を少なくして、電界放出型ディスプレイ８０の製造コストを低減させることができる。
【００８９】
なお、例えば、走査ラインの数が１０８０本（ｎ＝１０８０）のＨＤＴＶに、３０本の第１の走査用電極からなる第１のグループを３６個（ｐ＝３６）と、３６本の第２の走査用電極からなる第２のグループを３０個（ｑ＝３０）とを設け、６６個の駆動回路のそれぞれに第１のグループ又は第２のグループのいずれかを接続することで、１０８０本（ｎ＝１０８０）の走査ラインを有したＨＤＴＶを従来の駆動回路数（１０８０個）よりも少ない６６個の駆動回路でＨＤＴＶを駆動させることができる。
【００９０】
（第３実施例）
次に、図１５を参照して、第３実施例の電界放出型ディスプレイ９０の構成及び結線方法について説明する。図１５は、第３実施例の電界放出型ディスプレイの構成及び結線方法を説明するための図である。なお、図１５において、先に説明した電界放出型ディスプレイ７０と同一構成部分には同一の符号を付す。また、図１５に示した符号に付した−１、−２、−３、・・・、−１５、−１６は、番号を示している（例えば、６８−１は、「１番目の走査ライン」を示している。）。
【００９１】
電界放出型ディスプレイ９０は、１６本（ｎ＝１６）の走査ライン６８−１〜６８−１６を有している。本実施例の電界放出型ディスプレイ９０では、走査ライン６８の数１６よりも小さい１０個の駆動回路７６−１〜７６−６，６４−１〜６４−４で走査ライン６８−１〜６８−１６を走査する場合を例に挙げて以下の説明をする。
【００９２】
電界放出型ディスプレイ９０は、大略するとディスプレイ本体５０Ａと、６個（ｐ＝６）の駆動回路７６−１〜７６−６を備えた第１の駆動装置４４Ｃと、４個（ｑ＝４）の駆動回路６４−１〜６４−４を備えた第２の駆動装置４５Ｃと、信号線７５Ｃ，７８Ｃと、図示していない第１及び第２のシフトレジスタ４２，４３、データ用駆動装置４６、制御装置４１、及びデータ入力端子３９とを有した構成とされている。
【００９３】
第１の駆動装置４４Ｃは、６個（ｐ＝６）の駆動回路７６−１〜７６−６から構成されている。したがって、１６本の第１の走査用電極５４−１〜５４−１６を６個（ｐ＝６）の第１のグループに分けて、駆動回路７６−１〜７６−６に結線する必要がある。
【００９４】
本実施例では、１６本の第１の走査用電極５４−１〜５４−１６を、第１の走査用電極５４−１〜５４−３（以下、「第１の走査用電極群Ｋ１」とする）と、第１の走査用電極５４−４〜５４−６（以下、「第１の走査用電極群Ｋ２」とする）と、第１の走査用電極５４−７〜５４−９（以下、「第１の走査用電極群Ｋ３」とする）と、第１の走査用電極５４−１０〜５４−１２（以下、「第１の走査用電極群Ｋ４」とする）と、第１の走査用電極５４−１３〜５４−１５（以下、「第１の走査用電極群Ｋ５」とする）と、第１の走査用電極５４−１６との６個の第１のグループに分け、第１の走査用電極群Ｋ１と駆動回路７６−１との間、第１の走査用電極群Ｋ２と駆動回路７６−２との間、第１の走査用電極群Ｋ３と駆動回路７６−３との間、第１の走査用電極群Ｋ４と駆動回路７６−４との間、第１の走査用電極群Ｋ５と駆動回路７６−５との間、第１の走査用電極５４−１６と駆動回路７６−６との間をそれぞれ信号線７５Ｃにより結線した。このように、駆動回路７６に接続する第１の走査用電極５４の数を駆動回路７６間で異ならせても良い。
【００９５】
第２の駆動装置４５Ｃは、４個（ｑ＝４）の駆動回路６４−１〜６４−４から構成されている。したがって、１６本の第２の走査用電極５７−１〜５７−１６を４個（ｑ＝４）の第２のグループに分けて、駆動回路６４−１〜６４−４に結線する必要がある。
【００９６】
本実施例では、１６本の第２の走査用電極５７−１〜５７−１６を、第２の走査用電極５７−１，５７−５，５７−９，５７−１３（以下、「第２の走査用電極群Ｌ１」とする）と、第２の走査用電極５７−２，５７−６，５７−１０，５７−１４（以下、「第２の走査用電極群Ｌ２」とする）と、第２の走査用電極５７−３，５７−７，５７−１１，５７−１５（以下、「第２の走査用電極群Ｌ３」とする）と、第２の走査用電極５７−４，５７−８，５７−１２，５７−１６（以下、「第２の走査用電極群Ｌ４」とする）との４個の第２のグループに分け、第２の走査用電極群Ｌ１と駆動回路６４−１との間、第２の走査用電極群Ｌ２と駆動回路６４−２との間、第２の走査用電極群Ｌ３と駆動回路６４−３との間、第２の走査用電極群Ｌ４と駆動回路６４−４との間をそれぞれ信号線７８Ｃにより結線した。
【００９７】
次に、図１６を参照して、第３実施例の電界放出型ディスプレイ９０の駆動方法について説明する。図１６は、第３実施例の電界放出型ディスプレイの駆動パルスの波形を示した図である。なお、図１６において、（ｍ１）は第１の走査用電極群Ｋ１の駆動パルスの波形、（ｍ２）は第１の走査用電極群Ｋ２の駆動パルスの波形、（ｍ３）は第１の走査用電極群Ｋ３の駆動パルスの波形、（ｍ４）は第１の走査用電極群Ｋ４の駆動パルスの波形、（ｍ５）は第１の走査用電極群Ｋ５の駆動パルスの波形、（ｍ６）は第１の走査用電極５４−１６の駆動パルスの波形、（ｎ１）は第２の走査用電極群Ｌ１の駆動パルスの波形、（ｎ２）は第２の走査用電極群Ｌ２の駆動パルスの波形、（ｎ３）は第２の走査用電極群Ｌ３の駆動パルスの波形、（ｎ４）は第２の走査用電極群Ｌ４の駆動パルスの波形、（ｒ）はデータ用電極５９の駆動パルスの波形をそれぞれ示している。
【００９８】
なお、第１の走査用電極５４に電圧ＶＡＰ（第１の駆動パルス）と、データ用電極５９に電圧ＶＣＰ（ＶＣＰ＜ＶＣＮ）とが印加された際、冷陰極６０の冷陰極エミッタ６１から電子が放出し、電圧ＶＡＰ（ＶＡＰ＞ＶＡＮ）が印加された第１の走査用電極５４と対向する第２の走査用電極５７に電圧ＶＢＰ（第２の駆動パルス、ＶＢＰ＞ＶＢＮ）が印加されることで、放出された電子は電子ビームとして、冷陰極６０から蛍光体６９に向けて放出されるよう、電圧ＶＡＰ、電圧ＶＡＮ、電圧ＶＢＰ、電圧ＶＢＮ、電圧ＶＣＰ、及び電圧ＶＣＮの数値はそれぞれ設定されている。また、電圧ＶＢＰは、電子ビームを集束させるような電圧値とされている。
【００９９】
図１６に示すように、時刻ｔ１において、第１の走査用電極群Ｋ１に電圧ＶＡＰ、第１の走査用電極群Ｋ２〜Ｋ５及び第１の走査用電極５４−１６に電圧ＶＡＮ、第２の走査用電極群Ｌ１に電圧ＶＢＰ、第２の走査用電極群Ｌ２〜Ｌ４に電圧ＶＢＮをそれぞれ印加して、１番目の走査ライン６８−１の走査を行う。データ用電極５９に電圧ＶＣＰが印加されたラインでは、第１及び第２の走査用電極５４−１，５７−１に対応した冷陰極６０から電子ビームが放出する。
【０１００】
続いて、時刻ｔ２において、第２の走査用電極群Ｌ１に電圧ＶＢＮ、第２の走査用電極群Ｌ２に電圧ＶＢＰをそれぞれ印加（第２の走査用電極群Ｌ１，Ｌ２の電極以外の電極は、時刻ｔ１と同じ電圧値）して、２番目の走査ライン６８−２の走査を行う。データ用電極５９に電圧ＶＣＰが印加されたラインでは、第１及び第２の走査用電極５４−２，５７−２に対応した冷陰極６０から電子ビームが放出する。
【０１０１】
次に、時刻ｔ３において、第２の走査用電極群Ｌ２に電圧ＶＢＮ、第２の走査用電極群Ｌ３に電圧ＶＢＰをそれぞれ印加（第２の走査用電極群Ｌ２，Ｌ３の電極以外の電極は、時刻ｔ２と同じ電圧値）して、３番目の走査ライン６８−３の走査を行う。データ用電極５９に電圧ＶＣＰが印加されたラインでは、第１及び第２の走査用電極５４−３，５７−３に対応した冷陰極６０から電子ビームが放出する。
【０１０２】
続いて、時刻ｔ４において、第１の走査用電極群Ｋ２に電圧ＶＡＰ、第１の走査用電極群Ｋ１，Ｋ３〜Ｋ５及び第１の走査用電極５４−１６に電圧ＶＡＮ、第２の走査用電極群Ｌ４に電圧ＶＢＰ、第２の走査用電極群Ｌ１〜Ｌ３に電圧ＶＢＮをそれぞれ印加して、４番目の走査ライン６８−４の走査を行う。データ用電極５９に電圧ＶＣＰが印加されたラインでは、第１及び第２の走査用電極５４−４，５７−４に対応した冷陰極６０から電子ビームが放出する。
【０１０３】
その後、同様な手法により、走査したい走査ライン６８に対応する第１の走査用電極５４に電圧ＶＡＰを印加すると共に、電圧ＶＡＰが印加された第１の走査用電極５４と対向する第２の走査用電極５７に電圧ＶＢＰを印加することで、５番目の走査ライン６８−５、６番目の走査ライン６８−６、・・・、１５番目の走査ライン６８−１５、１６番目の走査ライン６８−１６の順に走査することができる。
【０１０４】
このように、走査ライン６８の数１６（ｎ＝１６）よりも小さい１０個（本実施例の場合）の駆動回路を第１の駆動装置４４Ｃと第２の駆動装置４５Ｃとに振り分け、６個（ｐ＝６）の駆動回路７６のそれぞれに対して第１のグループを結線し、４個（ｑ＝４）の駆動回路６４のそれぞれに対して第２のグループを結線し、上記駆動方法を用いることにより、従来の電界放出型ディスプレイ１０，３０の駆動回路数（１６個）よりも少ない１０個の駆動回路６４−１〜６４−６，７６−１〜７６−６で１６本の走査ライン６８−１〜６８−１６を順次走査することが可能となる。これにより、従来の電界放出型ディスプレイ１０，３０よりも駆動回路の数を少なくして、電界放出型ディスプレイ９０の製造コストを低減させることができる。
【０１０５】
（第４実施例）
次に、図１７を参照して、第４実施例の電界放出型ディスプレイ１００の構成及び結線方法について説明する。図１７は、第４実施例の電界放出型ディスプレイの構成及び結線方法を説明するための図である。なお、図１７において、先に説明した電界放出型ディスプレイ７０と同一構成部分には同一の符号を付す。
【０１０６】
電界放出型ディスプレイ１００は、１６本（ｎ＝１６）の走査ライン６８−１〜６８−１６を有しており、本実施例の電界放出型ディスプレイ１００では、１０個の駆動回路を、第１の駆動装置４４Ｄに４個（ｐ＝４）の駆動回路７６−１〜７６−４を振り分け、第２の駆動装置４５Ｄに６個（ｑ＝６）の駆動回路６４−１〜６４−６を振り分けた場合について以下の説明をする。
【０１０７】
電界放出型ディスプレイ１００は、大略するとディスプレイ本体５０Ａと、４個（ｐ＝４）の駆動回路７６−１〜７６−４を備えた第１の駆動装置４４Ｄと、６個（ｑ＝６）の駆動回路６４−１〜６４−６を備えた第２の駆動装置４５Ｄと、信号線７５Ｄ，７８Ｄと、図示していない第１及び第２のシフトレジスタ４２，４３、データ用駆動装置４６、制御装置４１、及びデータ入力端子３９とを有した構成とされている。
【０１０８】
１６本の第１の走査用電極５４−１〜５４−１６は、第１の走査用電極５４−１，５４−５，５４−９，５４−１３（以下、「第１の走査用電極群Ｍ１」とする）と、第１の走査用電極５４−２，５４−６，５４−１０，５４−１４（以下、「第１の走査用電極群Ｍ２」とする）と、第１の走査用電極５４−３，５４−７，５４−１１，５４−１５（以下、「第１の走査用電極群Ｍ３」とする）と、第１の走査用電極５４−４，５４−８，５４−１２，５４−１６（以下、「第１の走査用電極群Ｍ４」とする）との４個（ｐ＝４）の第１のグループに分けられており、第１の走査用電極群Ｍ１と駆動回路７６−１との間、第１の走査用電極群Ｍ２と駆動回路７６−２との間、第１の走査用電極群Ｍ３と駆動回路７６−３との間、第１の走査用電極群Ｍ４と駆動回路７６−４との間は、それぞれ信号線７５Ｄにより結線されている。
【０１０９】
１６本の第２の走査用電極５７−１〜５７−１６は、第２の走査用電極５７−１〜５７−３（以下、「第２の走査用電極群Ｎ１」とする）と、第２の走査用電極５７−４〜５７−６（以下、「第２の走査用電極群Ｎ２」とする）と、第２の走査用電極５７−７〜５７−９（以下、「第２の走査用電極群Ｎ３」とする）と、第２の走査用電極５７−１０〜５７−１２（以下、「第２の走査用電極群Ｎ４」とする）と、第２の走査用電極５７−１３〜５７−１５（以下、「第２の走査用電極群Ｎ５」とする）と、第２の走査用電極５７−１６との６個（ｑ＝６）の第２のグループに分けられており、第２の走査用電極群Ｎ１と駆動回路６４−１との間、第２の走査用電極群Ｎ２と駆動回路６４−２との間、第２の走査用電極群Ｎ３と駆動回路６４−３との間、第２の走査用電極群Ｎ４と駆動回路６４−４との間、第２の走査用電極群Ｎ５と駆動回路６４−５との間、第２の走査用電極５７−１６と駆動回路６４−６との間はそれぞれ信号線７８Ｄにより結線されている。このように、各駆動回路６４に接続する第２の走査用電極５７の数を駆動回路６４間で異ならせても良い。
【０１１０】
次に、図１８を参照して、第４実施例の電界放出型ディスプレイ１００の駆動方法について説明する。図１８は、第４実施例の電界放出型ディスプレイの駆動パルスの波形を示した図である。なお、図１８において、（ｓ１）は第１の走査用電極群Ｍ１の駆動パルスの波形、（ｓ２）は第１の走査用電極群Ｍ２の駆動パルスの波形、（ｓ３）は第１の走査用電極群Ｍ３の駆動パルスの波形、（ｓ４）は第１の走査用電極群Ｍ４の駆動パルスの波形、（ｕ１）は第２の走査用電極群Ｎ１の駆動パルスの波形、（ｕ２）は第２の走査用電極群Ｎ２の駆動パルスの波形、（ｕ３）は第２の走査用電極群Ｎ３の駆動パルスの波形、（ｕ４）は第２の走査用電極群Ｎ４の駆動パルスの波形、（ｕ５）は第２の走査用電極群Ｎ５の駆動パルスの波形、（ｕ６）は第２の走査用電極５７−１６の駆動パルスの波形、（ｖ）はデータ用電極５９の駆動パルス波形をそれぞれ示している。
【０１１１】
なお、第１の走査用電極５４に電圧ＶＡＰ（第１の駆動パルス）と、データ用電極５９に電圧ＶＣＰ（ＶＣＰ＜ＶＣＮ）とが印加された際、冷陰極６０の冷陰極エミッタ６１から電子が放出し、電圧ＶＡＰ（ＶＡＰ＞ＶＡＮ）が印加された第１の走査用電極５４と対向する第２の走査用電極５７に電圧ＶＢＰ（第２の駆動パルス、ＶＢＰ＞ＶＢＮ）が印加されることで、冷陰極エミッタ６１から放出された電子は電子ビームとして、冷陰極６０から蛍光体６９に向けて放出されように、電圧ＶＡＰ、電圧ＶＡＮ、電圧ＶＢＰ、電圧ＶＢＮ、電圧ＶＣＰ、及び電圧ＶＣＮの数値は設定されている。また、電圧ＶＢＰは、電子ビームを集束させるような電圧値とされている。
【０１１２】
図１８に示すように、時刻ｔ１において、第１の走査用電極群Ｍ１に電圧ＶＡＰ、第１の走査用電極群Ｍ２〜Ｍ４に電圧ＶＡＮ、第２の走査用電極群Ｎ１に電圧ＶＢＰ、第２の走査用電極群Ｎ２〜Ｎ５及び第２の走査用電極５７−１６に電圧ＶＢＮをそれぞれ印加して、１番目の走査ライン６８−１の走査を行う。データ用電極５９に電圧ＶＣＰが印加されたラインでは、第１及び第２の走査用電極５４−１，５７−１に対応した冷陰極６０から電子ビームが放出する。
【０１１３】
続いて、時刻ｔ２において、第１の走査用電極群Ｍ１に電圧ＶＡＮ、第１の走査用電極群Ｍ２に電圧ＶＡＰをそれぞれ印加（第１の走査用電極群Ｍ１，Ｍ２の電極以外の電極は、時刻ｔ１と同じ電圧値）して、２番目の走査ライン６８−２の走査を行う。データ用電極５９に電圧ＶＣＰが印加されたラインでは、第１及び第２の走査用電極５４−２，５７−２に対応した冷陰極６０から電子ビームが放出する。
【０１１４】
次に、時刻ｔ３において、第１の走査用電極群Ｍ２に電圧ＶＡＮ、第１の走査用電極群Ｍ３に電圧ＶＡＰをそれぞれ印加（第１の走査用電極群Ｍ２，Ｍ３の電極以外の電極は、時刻ｔ２と同じ電圧値）して、３番目の走査ライン６８−３の走査を行う。データ用電極５９に電圧ＶＣＰが印加されたラインでは、第１及び第２の走査用電極５４−３，５７−３に対応した冷陰極６０から電子ビームが放出する。
【０１１５】
続いて、時刻ｔ４において、第１の走査用電極群Ｍ３に電圧ＶＡＮ、第１の走査用電極群Ｍ４に電圧ＶＡＰ、第２の走査用電極群Ｎ１，Ｎ３〜Ｎ５及び第２の走査用電極５７−１６に電圧ＶＢＮ、第２の走査用電極群Ｎ２に電圧ＶＢＰして、４番目の走査ライン６８−４の走査を行う。データ用電極５９に電圧ＶＣＰが印加されたラインでは、第１及び第２の走査用電極５４−４，５７−４に対応した冷陰極６０から電子ビームが放出する。
【０１１６】
その後、同様な手法により、走査したい走査ライン６８に対応する第１の走査用電極５４に電圧ＶＡＰを印加すると共に、電圧ＶＡＰが印加された第１の走査用電極５４と対向する第２の走査用電極５７に電圧ＶＢＰを印加することで、５番目の走査ライン６８−５、６番目の走査ライン６８−６、・・・、１５番目の走査ライン６８−１５、１６番目の走査ライン６８−１６の順に走査を行うことができる。
【０１１７】
このように、走査ライン６８の数１６（ｎ＝１６）よりも小さい１０個（本実施例の場合）の駆動回路を第１の駆動装置４４Ｄと第２の駆動装置４５Ｄとに振り分け、４個（ｐ＝４）の駆動回路７６に第１の走査用電極群Ｍ１〜Ｍ４のいずれかを結線すると共に、６個（ｑ＝６）の駆動回路６４に第２の走査用電極群Ｎ１〜Ｎ５及び第２の走査用電極５７−１６のいずれかを結線し、上記駆動方法を用いることで、従来の電界放出型ディスプレイ１０，３０の駆動回路数（１６個）よりも少ない１０個の駆動回路６４−１〜６４−６，７６−１〜７６−４で、１６本の走査ライン６８−１〜６８−１６を順次走査することが可能となる。これにより、従来の電界放出型ディスプレイ１０，３０よりも駆動回路の数を少なくして、電界放出型ディスプレイ１００の製造コストを低減させることができる。
【０１１８】
（第５実施例）
次に、図１９を参照して、第５実施例の電界放出型ディスプレイ１１０の構成及び結線方法について説明する。図１９は、第５実施例の電界放出型ディスプレイの構成及び結線方法を説明するための図である。なお、図１９において、先に説明した電界放出型ディスプレイ７０と同一構成部分には同一の符号を付す。
【０１１９】
電界放出型ディスプレイ１１０は、１６本（ｎ＝１６）の走査ライン６８−１〜６８−１６を有しており、大略するとディスプレイ本体５０Ａと、２個（ｐ＝２）の駆動回路７６−１，７６−２を備えた第１の駆動装置４４Ｅと、８個（ｑ＝８）の駆動回路６４−１〜６４−８を備えた第２の駆動装置４５Ｅと、信号線７５Ｅ，７８Ｅと、図示していない第１及び第２のシフトレジスタ４２，４３、データ用駆動装置４６、制御装置４１、及びデータ入力端子３９とを有した構成とされている。したがって、電界放出型ディスプレイ１１０では、（ｐ・ｑ）がｎに等しくなるようにｐとｑが設定されている。
【０１２０】
１６本の第１の走査用電極５４−１〜５４−１６は、第１の走査用電極５４−１〜５４−４，５４−９〜５４−１２（以下、「第１の走査用電極群Ｑ１」とする）と、第１の走査用電極５４−５〜５４−８，５４−１３〜５４−１６（以下、「第１の走査用電極群Ｑ２」とする）との２個（ｐ＝２）の第１のグループに分けられており、第１の走査用電極群Ｑ１と駆動回路７６−１との間、第１の走査用電極群Ｑ２と駆動回路７６−２との間はそれぞれ信号線７５Ｅにより結線されている。
【０１２１】
１６本の第２の走査用電極５７−１〜５７−１６は、第２の走査用電極５７−１，５７−５（以下、「第２の走査用電極群Ｒ１」とする）と、第２の走査用電極５７−２，５７−６（以下、「第２の走査用電極群Ｒ２」とする）と、第２の走査用電極５７−３，５７−７（以下、「第２の走査用電極群Ｒ３」とする）と、第２の走査用電極５７−４，５７−８（以下、「第２の走査用電極群Ｒ４」とする）と、第２の走査用電極５７−９，５７−１３（以下、「第２の走査用電極群Ｒ５」とする）と、第２の走査用電極５７−１０，５７−１４（以下、「第２の走査用電極群Ｒ６」とする）と、第２の走査用電極５７−１１，５７−１５（以下、「第２の走査用電極群Ｒ７」とする）と、第２の走査用電極５７−１２，５７−１６（以下、「第２の走査用電極群Ｒ８」とする）との８個（ｑ＝８）の第２のグループに分けられている。
【０１２２】
また、第２の走査用電極群Ｒ１と駆動回路６４−１との間、第２の走査用電極群Ｒ２と駆動回路６４−２との間、第２の走査用電極群Ｒ３と駆動回路６４−３との間、第２の走査用電極群Ｒ４と駆動回路６４−４との間、第２の走査用電極群Ｒ５と駆動回路６４−５との間、第２の走査用電極群Ｒ６と駆動回路６４−６との間、第２の走査用電極群Ｒ７と駆動回路６４−７との間、第２の走査用電極群Ｒ８と駆動回路６４−８との間はそれぞれ信号線７８Ｅにより結線されている。
【０１２３】
したがって、本実施例の電界放出型ディスプレイ１１０は、駆動回路７６−１，７６−２，６４−１〜６４−４により走査ライン６８−１〜６８−８（上半分の走査ライン）の走査を行い、駆動回路７６−１，７６−２，６４−５〜６４−８により走査ライン６８−９〜６８−１６（下半分の走査ライン）の走査を行う構成とされている。
【０１２４】
次に、図２０を参照して、第５実施例の電界放出型ディスプレイ１１０の駆動方法について説明する。図２０は、第５実施例の電界放出型ディスプレイの駆動パルスの波形を示した図である。なお、図２０において、（ｗ１）は第１の走査用電極群Ｑ１の駆動パルスの波形、（ｗ２）は第１の走査用電極群Ｑ２の駆動パルスの波形、（ｘ１）は第２の走査用電極群Ｒ１の駆動パルスの波形、（ｘ２）は第２の走査用電極群Ｒ２の駆動パルスの波形、（ｘ３）は第２の走査用電極群Ｒ３の駆動パルスの波形、（ｘ４）は第２の走査用電極群Ｒ４の駆動パルスの波形、（ｘ５）は第２の走査用電極群Ｒ５の駆動パルスの波形、（ｘ６）は第２の走査用電極群Ｒ６の駆動パルスの波形、（ｘ７）は第２の走査用電極群Ｒ７の駆動パルスの波形、（ｘ８）は第２の走査用電極群Ｒ８の駆動パルスの波形、（ｙ）はデータ用電極５９の駆動パルス波形をそれぞれ示している。
【０１２５】
なお、第１の走査用電極５４に電圧ＶＡＰ（第１の駆動パルス）と、データ用電極５９に電圧ＶＣＰ（ＶＣＰ＜ＶＣＮ）とが印加された際、冷陰極６０の冷陰極エミッタ６１から電子が放出し、電圧ＶＡＰ（ＶＡＰ＞ＶＡＮ）が印加された第１の走査用電極５４と対向する第２の走査用電極５７に電圧ＶＢＰ（第２の駆動パルス、ＶＢＰ＞ＶＢＮ）が印加されることで、冷陰極エミッタ６１から放出された電子は電子ビームとして、冷陰極６０から蛍光体６９に向けて放出されように、電圧ＶＡＰ、電圧ＶＡＮ、電圧ＶＢＰ、電圧ＶＢＮ、電圧ＶＣＰ、及び電圧ＶＣＮの数値は設定されている。また、電圧ＶＢＰは、電子ビームを集束させるような電圧値とされている。
【０１２６】
図２０に示すように、時刻ｔ１において、第１の走査用電極群Ｑ１に電圧ＶＡＰ、第１の走査用電極群Ｑ２に電圧ＶＡＮ、第２の走査用電極群Ｒ１に電圧ＶＢＰ、第２の走査用電極群Ｒ２〜Ｒ８に電圧ＶＢＮをそれぞれ印加して、１番目の走査ライン６８−１の走査を行う。データ用電極５９に電圧ＶＣＰが印加されたラインでは、第１及び第２の走査用電極５４−１，５７−１に対応した冷陰極６０から電子ビームが放出する。
【０１２７】
次に、時刻ｔ２において、第２の走査用電極群Ｒ１に電圧ＶＢＮ、第２の走査用電極群Ｒ２に電圧ＶＢＰをそれぞれ印加（第２の走査用電極群Ｒ１，Ｒ２の電極以外の電極は、時刻ｔ１と同じ電圧値）して、２番目の走査ライン６８−２の走査を行う。データ用電極５９に電圧ＶＣＰが印加されたラインでは、第１及び第２の走査用電極５４−２，５７−２に対応した冷陰極６０から電子ビームが放出する。
【０１２８】
続いて、第２の走査用電極群Ｒ３、第２の走査用電極群Ｒ４に対して順次電圧ＶＢＰを印加すると共に、電圧ＶＢＰが印加された第２の走査用電極群以外の第２の走査用電極群の全てに電圧ＶＢＮを印加することで、３番目の走査ライン６８−３、４番目の走査ライン６８−４の順に走査を行う。
【０１２９】
その後、５番目の走査ライン６８−５、６番目の走査ライン６８−６、７番目の走査ライン６８−７、８番目の走査ライン６８−８に対応した第１の走査用電極５４に電圧ＶＡＰを印加すると共に、電圧ＶＡＰが印加された第１の走査用電極５４と対向する第２の走査用電極５７に電圧ＶＢＰを順次印加して、５番目の走査ライン６８−５、６番目の走査ライン６８−６、７番目の走査ライン６８−７、８番目の走査ライン６８−８の順に走査を行う。
【０１３０】
その後、時刻ｔ３において、第１の走査用電極群Ｑ１に電圧ＶＡＰ、第１の走査用電極群Ｑ２に電圧ＶＡＮ、第２の走査用電極群Ｒ５に電圧ＶＢＰ、第２の走査用電極群Ｒ１〜Ｒ４，Ｒ６〜Ｒ８に電圧ＶＢＮして、９番目の走査ライン６８−９の走査を行う。データ用電極５９に電圧ＶＣＰが印加されたラインでは、第１及び第２の走査用電極５４−９，５７−９に対応した冷陰極６０から電子ビームが放出する。
【０１３１】
次に、時刻ｔ４において、第２の走査用電極群Ｒ５に電圧ＶＢＮ、第２の走査用電極群Ｒ６に電圧ＶＢＰをそれぞれ印加（第２の走査用電極群Ｒ５，Ｒ６の電極以外の電極は、時刻ｔ３の時と同じ電圧値）して、１０番目の走査ライン６８−１０の走査を行う。データ用電極５９に電圧ＶＣＰが印加されたラインでは、第１及び第２の走査用電極５４−１０，５７−１０に対応した冷陰極６０から電子ビームが放出する。
【０１３２】
その後、各走査ライン６８−１１〜６８−１６に対応した第１の走査用電極５４に電圧ＶＡＰを印加すると共に、電圧ＶＡＰが印加された第１の走査用電極５４と対向する第２の走査用電極５７に電圧ＶＢＰを順次印加することで、１１番目の走査ライン６８−１１、１２番目の走査ライン６８−１２、１３番目の走査ライン６８−１３、１４番目の走査ライン６８−１４、１５番目の走査ライン６８−１５、１６番目の走査ライン６８−１６の順に走査を行うことができる。
【０１３３】
このように、（ｐ・ｑ）がｎに等しくなるように駆動回路を第１の駆動装置４４Ｅと第２の駆動装置４５Ｅとに振り分け、２個（ｐ＝４）の駆動回路７６に第１の走査用電極群Ｑ１，Ｑ２のいずれかを結線すると共に、８個（ｑ＝８）の駆動回路６４に第２の走査用電極群Ｒ１〜Ｒ８のいずれかを結線し、上記駆動方法を用いることで、従来の電界放出型ディスプレイ１０，３０の駆動回路数（１６個）よりも少ない１０個の駆動回路６４−１〜６４−８，７６−１，７６−２で、１６本の走査ライン６８−１〜６８−１６を順次走査することが可能となる。これにより、従来の電界放出型ディスプレイ１０，３０よりも駆動回路の数を少なくして、電界放出型ディスプレイ１１０の製造コストを低減させることができる。
【０１３４】
以上、本発明の好ましい実施例について詳述したが、本発明はかかる特定の実施形態に限定されるものではなく、特許請求の範囲内に記載された本発明の要旨の範囲内において、種々の変形・変更が可能である。なお、上記第１乃至５実施例において、データ用電極５９と第２の走査用電極５７とを対向するよう配置し、データ用電極５９及び第２の走査用電極５７と直交するように第１の走査電極５４を配置させて、データ用電極５９と第２の走査用電極５７とに印加する電圧により電界放出型ディスプレイの走査を行う構成としても良い。このとき、第１の走査用電極５４には、画像データａに対応する電圧パルスを印加する。また、走査ライン６８の数ｎ及び結線方法は、上記第１乃至５実施例に限定されない。
【産業上の利用可能性】
【０１３５】
本発明は、従来よりも少ない数の駆動回路で走査ラインを順次走査させて、製造コストを低減することのできる冷陰極、電界放出型ディスプレイ、及び電界放出型ディスプレイの駆動方法に適用できる。
【図面の簡単な説明】
【０１３６】
【図１】従来の電界放出型ディスプレイの断面図である。
【図２】図１に示した電界放出型ディスプレイの背面板を平面視した図である。
【図３】フォーカス電極を備えた電界放出型ディスプレイの断面図である。
【図４】実施の形態による電界放出型ディスプレイの概略図である。
【図５】ディスプレイ本体の斜視図である。
【図６】冷陰極に対応した部分のディスプレイ本体の断面図である。
【図７】背面板の平面図である。
【図８】冷陰極から蛍光体に向けて電子ビームが放出された状態を模式的に示した図である。
【図９】冷陰極エミッタから放出された電子が冷陰極内に留められた状態を模式的に示した図である。
【図１０】第１実施例の電界放出型ディスプレイの構成及び結線方法を説明するための図である。
【図１１】第１実施例の電界放出型ディスプレイの駆動パルスの波形を示した図である。
【図１２】第２実施例の電界放出型ディスプレイの構成及び結線方法を説明するための図である。
【図１３】第２実施例の電界放出型ディスプレイの駆動パルスの波形を示した図である。
【図１４】第１及び第２のシフトレジスタに入力されるクロック及び走査パルスの波形を示した図である。
【図１５】第３実施例の電界放出型ディスプレイの構成及び結線方法を説明するための図である。
【図１６】第３実施例の電界放出型ディスプレイの駆動パルスの波形を示した図である。
【図１７】第４実施例の電界放出型ディスプレイの構成及び結線方法を説明するための図である。
【図１８】第４実施例の電界放出型ディスプレイの駆動パルスの波形を示した図である。
【図１９】第５実施例の電界放出型ディスプレイの構成及び結線方法を説明するための図である。
【図２０】第５実施例の電界放出型ディスプレイの駆動パルスの波形を示した図である。
【符号の説明】
【０１３７】
１０，３０，４０，７０，８０，９０，１００，１１０  電界放出型ディスプレイ
１１，３６，５１  背面板
１２，２３，５２，６６  基板
１３  カソード電極
１５，３７，５３，５５  絶縁層
１６，１６−１〜１６−ｎ  ゲート電極
１７，６２  開口部
１８，６１  冷陰極エミッタ
２０，３５，６０  冷陰極
２２，６５  前面板
２４，６７  アノード電極
２６，６９  蛍光体
２８，２８−１〜２８−ｎ，６４，６４−１〜６４−３２，７６，７６−１〜７６−３２  駆動回路
２９−１〜２９−ｎ，６８−１〜６８−ｎ  走査ライン
３８  フォーカス電極
３９  データ入力端子
４１  制御装置
４２  第１のシフトレジスタ
４３  第２のシフトレジスタ
４４，４４Ａ〜４４Ｅ  第１の駆動装置
４５，４５Ａ〜４５Ｅ  第２の駆動装置
４６  データ用駆動装置
４７，４８，４９，７５，７５−Ａ〜７５−Ｅ，７８，７８−Ａ〜７８−Ｅ  信号線
５０，５０Ａ  ディスプレイ本体
５４，５４−１〜５４−ｎ  第１の走査用電極
５７，５７−１〜５７−ｎ  第２の走査用電極
５９  データ用電極
ａ  画像データ
Ａ  表示領域
Ｂ  電子ビーム
Ｃ，Ｆ，Ｈ  等電位線
Ｃ１，Ｃ２  クロック
Ｄ  領域
Ｐ１，Ｐ２  走査パルス
ｔ１〜ｔ４  時刻
【図１】
2007101880.tif 000003
【図２】
2007101880.tif 000004
【図３】
2007101880.tif 000005
【図４】
2007101880.tif 000006
【図５】
2007101880.tif 000007
【図６】
2007101880.tif 000008
【図７】
2007101880.tif 000009
【図８】
2007101880.tif 000010
【図９】
2007101880.tif 000011
【図１０】
2007101880.tif 000012
【図１１】
2007101880.tif 000013
【図１２】
2007101880.tif 000014
【図１３】
2007101880.tif 000015
【図１４】
2007101880.tif 000016
【図１５】
2007101880.tif 000017
【図１６】
2007101880.tif 000018
【図１７】
2007101880.tif 000019
【図１８】
2007101880.tif 000020
【図１９】
2007101880.tif 000021
【図２０】
2007101880.tif 000022